(57)【要約】【課題】  パケット単位でエラーを検出することで、エラー検出処理のための制御及び構成の簡素化を図るデコード装置、デコード方法、情報再生装置及び電子機器を提供する。【解決手段】  パケットデータが多重化されたストリームデータに対してデコード処理を行うためのデコード装置１０は、ストリームデータから分離された固定長のパケットデータのエラーを検出し、エラーの有無を示すエラー情報を該パケットデータに付加するエラー処理部２２と、パケットデータのデコード処理を行うためのデコーダ３０とを含む。デコード装置１０は、パケットデータを可変長のセクションや可変長のパケットに変換することなく、エラー情報に基づいて、デコード処理又はパケットデータの廃棄を行う。【選択図】      図１
2007282001.tif 000002
【特許請求の範囲】
【請求項１】
パケットデータが多重化されたストリームデータに対してデコード処理を行うためのデコード装置であって、
前記ストリームデータから分離された固定長のパケットデータのエラーを検出し、エラーの有無を示すエラー情報を該パケットデータに付加するエラー処理部と、
前記パケットデータのデコード処理を行うためのデコーダとを含み、
前記パケットデータを可変長のセクションや可変長のパケットに変換することなく、前記エラー情報に基づいて、前記デコード処理又は前記パケットデータの廃棄を行うことを特徴とするデコード装置。
【請求項２】
請求項１において、
前記エラー情報と前記パケットデータとが格納されるバッファを含み、
前記デコーダが、前記バッファから前記エラー情報及び前記パケットデータを読み出すと共に、該エラー情報に基づいてデコード処理又はパケットデータの廃棄を行うか決定することを特徴とするデコード装置。
【請求項３】
請求項２において、
パケットデータを前記バッファに書き込むのに先立って、直前のパケットデータに付加されるエラー情報を前記バッファに書き込むことを特徴とするデコード装置。
【請求項４】
請求項２又は３において、
前記エラー処理部が、
前記パケットデータを前記バッファに書き込むための書き込み要求中に該バッファへの別の書き込み要求が発生したことを示すエラー情報を前記パケットデータに付加することを特徴とするデコード装置。
【請求項５】
請求項２乃至４のいずれかにおいて、
前記エラー情報は、
該エラー情報が付加されるパケットデータに先立って読み出されるように前記バッファの記憶領域に格納されることを特徴とするデコード装置。
【請求項６】
請求項１乃至５のいずれかにおいて、
前記パケットデータが、ＴＳ（Transport Stream）パケットであり、
前記ＴＳパケットを可変長のセクションやＰＥＳ（Packetized Elementary Stream）パケットに変換することなく、前記エラー情報に基づいて、前記デコード処理又は前記ＴＳパケットの廃棄を行うことを特徴とするデコード装置。
【請求項７】
請求項６において、
前記エラー処理部が、
ＰＭＴ（Program Map Table）のデータ構造におけるtable_id、section_syntax_indicator、current_next_indicator、section_numberのうち少なくとも１つのエラーを検出し、エラーの有無を示すエラー情報を該パケットデータに付加することを特徴とするデコード装置。
【請求項８】
請求項６において、
前記エラー処理部が、
ＰＡＴ（Program Association Table）又はＮＩＴ（Network Information Table)のエラーを検出し、エラーの有無を示すエラー情報を前記パケットデータに付加することを特徴とするデコード装置。
【請求項９】
請求項７又は８において、
前記エラー情報に基づいて、ＰＭＴ、ＰＡＴ又はＮＩＴのエラーが検出されたパケットデータは廃棄されることを特徴とするデコード装置。
【請求項１０】
パケットデータが多重化されたストリームデータに対してデコード処理を行うためのデコード方法であって、
前記ストリームデータから分離された固定長のパケットデータのエラーを検出し、
エラーの有無を示すエラー情報を該パケットデータに付加し、
前記パケットデータを可変長のセクションや可変長のパケットに変換することなく、前記エラー情報に基づいて、前記パケットデータのデコード処理を行うか、前記パケットデータの廃棄を行うかを決定し、
前記エラー情報に基づいて前記パケットデータのデコード処理を行うことが決定されたとき、該デコード処理を行うことを特徴とするデコード方法。
【請求項１１】
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
前記第１〜第３のＴＳパケットの各ＴＳパケットのエラーを検出し、エラーの有無を示すエラー情報を各ＴＳパケットに付加し、
各ＴＳパケットを可変長のセクションやＰＥＳ（Packetized Elementary Stream）パケットに変換することなく、前記エラー情報に基づいて、前記映像デコード処理、前記音声デコード処理又はＴＳパケットの廃棄を行うことを特徴とする情報再生装置。
【請求項１２】
請求項１１において、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことを特徴とする情報再生装置。
【請求項１３】
請求項１１又は１２において、
前記映像データ及び音声データのうち前記映像データのみを再生するときは、前記音声デコーダの動作を停止させ、
前記映像データ及び音声データのうち前記音声データのみを再生するときは、前記デコード装置の動作を停止させることを特徴とする情報再生装置。
【請求項１４】
請求項１１乃至１３のいずれか記載の情報再生装置と、
前記情報再生装置に対し、前記映像デコード処理及び前記音声デコード処理の少なくとも１つの処理開始を指示するホストとを含むことを特徴とする電子機器。
【請求項１５】
チューナと、
前記チューナからのトランスポートストリームが供給される請求項１１乃至１３のいずれか記載の情報再生装置と、
前記情報再生装置に対し、前記映像デコード処理及び前記音声デコード処理の少なくとも１つの処理開始を指示するホストとを含むことを特徴とする電子機器。
【発明の詳細な説明】
【技術分野】
【０００１】
本発明は、デコード装置、デコード方法、情報再生装置及び電子機器に関する。
【背景技術】
【０００２】
地上アナログ放送に替わって登場する地上デジタル放送では、画像及び音声の高品質化に加えて種々の新サービスの提供に期待が寄せられている。地上デジタル放送の導入によって新たに提供されるサービスの１つに、携帯端末向けサービスとして、いわゆる「１セグメント放送」がある。「１セグメント放送」では、ＱＰＳＫ（Quadrature Phase Shift Keying）変調方式で変調されたデジタル変調波をＯＦＤＭ（Orthogonal Frequency Division Multiplexing）変調方式で多重化することで、携帯端末の移動時でも安定した放送受信が可能となる。
【０００３】
このような携帯端末の一例として、携帯電話機がある。携帯電話機に「１セグメント放送」の受信機能を付加する場合、圧縮処理後の映像データ及び音声データが多重化されたトランスポートストリームの分離処理や分離処理後のデータのデコード処理を行う。このとき、映像データのデコード処理を行う処理部と音声データのデコード処理を行う処理部との間で通信を行って、デコード処理後の映像データ及び音声データを、同期をとりながら再生する。
【０００４】
このようなデジタル放送を再生する技術として、例えば特許文献１には、受信不能をユーザに通知するために、トランスポートストリームからパケットを分離するトランスポートストリームＤＭＵＸの前段に誤り訂正部を設け、該誤り訂正部において検出されたエラーの頻度から受信レベルの変化を求める技術が開示されている。これにより、降雨等により受信レベルが悪化したことを認識しやすくなる。
【０００５】
また特許文献２には、パケット識別子毎にフィルタリングを行うデジタル放送受信装置が開示されている。より具体的には、通過させるパケットのパケット識別子又は通過させないパケットのパケット識別子をレジスタに格納するようにすることでフィルタリングの際に参照するレジスタ数を削減するフィルタリング回路を含むデジタル放送受信装置が開示されている。
【特許文献１】特開２０００−１１５６５４号公報
【特許文献２】特開２００２−３２０１５４号公報
【発明の開示】
【発明が解決しようとする課題】
【０００６】
ところで、「１セグメント放送」をはじめとする「地上デジタル放送」では、放送信号が電波信号として送信されるため、常に正常な受信信号が得られるとは限らない。そこで、データの再生装置の低コスト化や処理負荷の軽減を考慮する際に、受信信号から生成されるストリームデータのエラー検出処理をどのように扱うかが重要になっている。この際、ストリームデータのエラーが検出されたとしても、エラーが発生したパケットを特定できれば、該パケットに応じた最適なエラー処理を行うことができる。
【０００７】
しかしながら、特許文献１に開示された技術では、トランスポートストリームＤＭＵＸの前段でエラー検出が行われるため、トランスポートストリームを分離したパケット単位でエラーを検出することができない。そのため、ストリームデータのエラーが検出されたとしても、エラーが発生したパケットを特定できないという問題がある。
【０００８】
また特許文献２に開示された技術では、パケット識別子単位でフィルタリングを行うため、どのパケットでエラーが発生したかを特定することができないという問題がある。
【０００９】
本発明は、以上のような技術的課題に鑑みてなされたものであり、その目的とするところは、パケット単位でエラーを検出することで、エラー検出処理のための制御及び構成の簡素化を図るデコード装置、デコード方法、情報再生装置及び電子機器を提供することにある。
【課題を解決するための手段】
【００１０】
上記課題を解決するために本発明は、
パケットデータが多重化されたストリームデータに対してデコード処理を行うためのデコード装置であって、
前記ストリームデータから分離された固定長のパケットデータのエラーを検出し、エラーの有無を示すエラー情報を該パケットデータに付加するエラー処理部と、
前記パケットデータのデコード処理を行うためのデコーダとを含み、
前記パケットデータを可変長のセクションや可変長のパケットに変換することなく、前記エラー情報に基づいて、前記デコード処理又は前記パケットデータの廃棄を行うデコード装置に関係する。
【００１１】
本発明によれば、ストリームデータから分離された固定長のパケットデータのエラー情報を該パケットデータに付加するようにして、パケットデータ単位でエラーの有無を判別できるようにしたので、エラーの発生したパケットデータを容易に特定することができるようになる。その結果、パケットデータを無駄に廃棄することがなくなる。更に、可変長のセクションやパケットに変換する必要がなくなるので、エラー処理の処理負荷を大幅に削減でき、エラー検出処理のための制御及び構成を簡素化できる。
【００１２】
また本発明に係るデコード装置では、
前記エラー情報と前記パケットデータとが格納されるバッファを含み、
前記デコーダが、前記バッファから前記エラー情報及び前記パケットデータを読み出すと共に、該エラー情報に基づいてデコード処理又はパケットデータの廃棄を行うか決定することができる。
【００１３】
本発明によれば、バッファから読み出したパケットデータと該パケットデータに付加されるエラー情報を参照するだけで良いので、次々に到来するストリームデータのエラー検出処理の負荷を軽減して、処理の遅延を最小限に抑えることができるようになる。
【００１４】
また本発明に係るデコード装置では、
パケットデータを前記バッファに書き込むのに先立って、直前のパケットデータに付加されるエラー情報を前記バッファに書き込むことができる。
【００１５】
本実施形態によれば、固定長のパケットデータのサイズ不足を容易に検出できるようになり、処理の遅延なく、次々と到来するストリームデータに対するエラー情報の付加処理を継続できる。
【００１６】
また本発明に係るデコード装置では、
前記エラー処理部が、
前記パケットデータを前記バッファに書き込むための書き込み要求中に該バッファへの別の書き込み要求が発生したことを示すエラー情報を前記パケットデータに付加することができる。
【００１７】
本発明によれば、パケットデータをバッファに書き込むための書き込み要求中に該バッファへの別の書き込み要求が発生したパケットデータか否かを示すことができる。これにより、バッファに格納されるパケットデータの内容が不完全な場合にまで敢えてパケットデータを解析する必要はなく、次に到来するパケットデータを待つ方が、正常なデコード処理を行うことができる可能性が高くなり、制御の簡素を図ることができる。
【００１８】
また本発明に係るデコード装置では、
前記エラー情報は、
該エラー情報が付加されるパケットデータに先立って読み出されるように前記バッファの記憶領域に格納されてもよい。
【００１９】
本発明によれば、エラー情報を読み出してエラーの有無を判別してからパケットデータをバッファから読み出すことができるようになるので、バッファに格納されたパケットデータのエラー検出処理を簡素化できる。
【００２０】
また本発明に係るデコード装置では、
前記パケットデータが、ＴＳ（Transport Stream）パケットであり、
前記ＴＳパケットを可変長のセクションやＰＥＳ（Packetized Elementary Stream）パケットに変換することなく、前記エラー情報に基づいて、前記デコード処理又は前記ＴＳパケットの廃棄を行うことができる。
【００２１】
また本発明に係るデコード装置では、
前記エラー処理部が、
ＰＭＴ（Program Map Table）のデータ構造におけるtable_id、section_syntax_indicator、current_next_indicator、section_numberのうち少なくとも１つのエラーを検出し、エラーの有無を示すエラー情報を該パケットデータに付加することができる。
【００２２】
本発明によれば、可変長のセクションやパケットに変換することなく、ＰＭＴのエラー検出処理を行うことができ、処理負荷を大幅に削減でき、エラー検出処理のための制御及び構成を簡素化できる。
【００２３】
また本発明に係るデコード装置では、
前記エラー処理部が、
ＰＡＴ（Program Association Table）又はＮＩＴ（Network Information Table)のエラーを検出し、エラーの有無を示すエラー情報を前記パケットデータに付加することができる。
【００２４】
また本発明に係るデコード装置では、
前記エラー情報に基づいて、ＰＭＴ、ＰＡＴ又はＮＩＴのエラーが検出されたパケットデータは廃棄されてもよい。
【００２５】
上記のいずれかの発明によれば、可変長のセクションやパケットに変換することなく、ＰＭＴ、ＰＡＴ又はＮＩＴのエラー検出処理を行うことができ、処理負荷を大幅に削減でき、エラー検出処理のための制御及び構成を簡素化できる。
【００２６】
また本発明は、
パケットデータが多重化されたストリームデータに対してデコード処理を行うためのデコード方法であって、
前記ストリームデータから分離された固定長のパケットデータのエラーを検出し、
エラーの有無を示すエラー情報を該パケットデータに付加し、
前記パケットデータを可変長のセクションや可変長のパケットに変換することなく、前記エラー情報に基づいて、前記パケットデータのデコード処理を行うか、前記パケットデータの廃棄を行うかを決定し、
前記エラー情報に基づいて前記パケットデータのデコード処理を行うことが決定されたとき、該デコード処理を行うデコード方法に関係する。
【００２７】
また本発明は、
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
前記第１〜第３のＴＳパケットの各ＴＳパケットのエラーを検出し、エラーの有無を示すエラー情報を各ＴＳパケットに付加し、
各ＴＳパケットを可変長のセクションやＰＥＳ（Packetized Elementary Stream）パケットに変換することなく、前記エラー情報に基づいて、前記映像デコード処理、前記音声デコード処理又はＴＳパケットの廃棄を行う情報再生装置に関係する。
【００２８】
本発明によれば、ＴＳから分離された固定長のＴＳパケットのエラー情報を該ＴＳパケットに付加するようにして、パケット単位でエラーの有無を判別できるようにしたので、エラーの発生したＴＳパケットを容易に特定することができるようになる。その結果、ＴＳパケットを無駄に廃棄することがなくなる。更に、可変長のセクションやパケットに変換する必要がなくなるので、エラー処理の処理負荷を大幅に削減でき、エラー検出処理のための制御及び構成を簡素化できる。
【００２９】
また本発明に係る情報再生装置では、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことができる。
【００３０】
本発明によれば、上記の効果に加えて、処理能力の低い処理回路を用いて低消費電力で、処理負荷の重いデコード処理を実現する情報再生装置を提供できる。
【００３１】
また本発明に係る情報再生装置では、
前記映像データ及び音声データのうち前記映像データのみを再生するときは、前記音声デコーダの動作を停止させ、
前記映像データ及び音声データのうち前記音声データのみを再生するときは、前記デコード装置の動作を停止させることができる。
【００３２】
本発明によれば、情報再生装置のより一層の低消費電力化を実現できる。
【００３３】
また本発明は、
上記のいずれか記載の情報再生装置と、
前記情報再生装置に対し、前記映像デコード処理及び前記音声デコード処理の少なくとも１つの処理開始を指示するホストとを含む電子機器に関係する。
【００３４】
また本発明は、
チューナと、
前記チューナからのトランスポートストリームが供給される上記のいずれか記載の情報再生装置と、
前記情報再生装置に対し、前記映像デコード処理及び前記音声デコード処理の少なくとも１つの処理開始を指示するホストとを含む電子機器に関係する。
【００３５】
上記のいずれかの発明によれば、処理負荷の重い１セグメント放送の再生処理を低消費電力で実現できる電子機器を提供できる。
【発明を実施するための最良の形態】
【００３６】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３７】
１．  デコード装置
図１に、本実施形態におけるデコード装置の構成例のブロック図を示す。
【００３８】
本実施形態におけるデコード装置１０には、デジタルチューナ（広義にはチューナ）５０からのトランスポートストリーム（Transport Stream：以下、ＴＳ）が入力される。このＴＳは、ＴＳパケット（広義にはパケットデータ）が多重化されたストリームデータであり、例えばＭＰＥＧ−２システム（ISO/IEC 13818-1）で規定されている。そして、デコード装置１０は、このＴＳに対してデコード処理を行う。より具体的には、デコード装置１０は、ＴＳから抽出されるＴＳパケットに対してデコード処理を行う。デコード処理後のデータは、例えば図示しない表示部に転送されて画像として表示されたり、或いは図示しないスピーカに出力されて音声として出力されたりする。
【００３９】
デコード装置１０は、分離処理部２０と、デコーダ３０と含むことができる。分離処理部２０は、ＴＳからＴＳパケットを分離する処理を行う。より具体的には、分離処理部２０は、ホスト６０の設定内容に基づき、ＴＳからＴＳパケットを分離する処理を行う。デコーダ３０は、分離処理部２０によって分離されたＴＳパケットに対してデコード処理を行う。
【００４０】
このような分離処理部２０は、エラー処理部２２と、パケット分離部２４とを含む。エラー処理部２２は、ＴＳから分離された固定長のＴＳパケット（広義にはパケットデータ）のエラーを検出し、該ＴＳパケットのエラーの有無を示すエラー情報をＴＳパケットに付加する処理を行う。パケット分離部２４は、ＴＳからＴＳパケットを分離し、エラー処理部２２からのエラー情報を付加したパケットを、デコード装置１０が内蔵するバッファ４０に格納する。即ち、バッファ４０には、分離処理部２０によってＴＳから分離されたＴＳパケットのみがバッファリングされるのではなく、ＴＳパケットと該ＴＳパケットのエラー情報とがバッファリングされる。なお、エラー情報をＴＳパケットに付加する処理は、エラー処理部２２が行ってもよいし、パケット分離部２４が行ってもよい。
【００４１】
そして、デコーダ３０が、バッファ４０からエラー情報及びＴＳパケットを読み出すと共に、該エラー情報に基づいてデコード処理又はＴＳパケットの廃棄を行うか決定することができる。例えばデコーダ３０は、パケットの廃棄を決定したとき、その廃棄処理をホスト６０に任せることができる。
【００４２】
パケット分離部２４は、ＴＳから複数種類のＴＳパケットを分離し、分離したＴＳパケットを、バッファ４０に予めＴＳパケットの種類毎に割り当てられた記憶領域に格納する。バッファ４０には、番組情報としてのＰＭＴ（Program Map Table）を設定するためのＴＳパケット、ネットワーク情報としてのＮＩＴ（Network Information Table)を設定するためのＴＳパケット、文字／字幕情報を表示するためのＴＳパケット、ＢＭＬ（Broadcast Markup Language）を表示するためのＴＳパケット、ＰＳＩ／ＳＩ（Program Specific Information/Service Information）を設定するためのＴＳパケット、画像を表示するための映像用ＴＳパケット、音声を出力するための音声用ＴＳパケットが、各記憶領域に格納される。
【００４３】
デコード装置１０の外部に設けられたホスト６０は、バッファ４０から読み出したＴＳパケットに基づいて、ＰＭＴ、ＮＩＴ、文字／字幕情報、ＢＭＬ、ＰＳＩ／ＳＩを解析する。例えばホスト６０は、ＰＭＴを解析して、映像用ＴＳパケットや音声用ＴＳパケットのパケット識別子（Packet Identifier：ＰＩＤ）を解析し、ホスト６０は分離処理部２０にＰＩＤを通知する。これを受けた分離処理部２０のパケット分離部２４は、ホスト６０によって設定されたＰＩＤを参照して、デジタルチューナ５０からのＴＳから、上述のように各ＴＳパケットを分離する処理を行う。このとき、ホスト６０は、バッファ４０の各記憶領域に格納されたＴＳパケットに付加されたエラー情報を参照することで、所定のエラー処理を行うことができる。エラー処理としては、例えばＴＳパケットを廃棄したり、所与のエラーコンシールメント（Error Concealment）により、エラーの発生したＴＳパケットを修復し、修復後のＴＳパケットを用いてデコード処理を継続したりする。
【００４４】
デコーダ３０は、バッファ４０に格納された映像用ＴＳパケット及び音声用ＴＳパケットの少なくとも１つを読み出して、ＴＳヘッダを解析してＰＥＳ（Packet Elementary Stream）パケットを生成し、該ＰＥＳパケットのＰＥＳヘッダを解析して、ＰＥＳヘッダを削除後のＥＳ（Elementary Stream）データをバッファ４０に書き戻す。このとき、デコーダ３０は、バッファ４０から読み出した映像用ＴＳパケット又は音声用ＴＳパケットに付加されたエラー情報を参照することで、所定のエラー処理を行うことができる。ここでもエラー処理としては、例えばＴＳパケットを廃棄したり、所与のエラーコンシールメント（Error Concealment）により、エラーの発生したＴＳパケットを修復し、修復後のＴＳパケットを用いてデコード処理を継続したりする。
【００４５】
デコーダ３０は、バッファ４０からＥＳデータを読み出し、該ＥＳデータに対してデコード処理を行う。
【００４６】
なお、図１において、デコード装置１０の外部にホスト６０及びデジタルチューナ５０が設けられているが、ホスト６０及びデジタルチューナ５０の少なくとも１つをデコード装置１０の内部に設けてもよい。或いは、図１において、分離処理部２０、デコーダ３０及びバッファ４０の少なくとも１つを、デコード装置１０の外部に設けてもよい。
【００４７】
以上のような構成を有する本実施形態によれば、ＴＳパケット毎にエラーの発生を検出することができるので、可変長のセクションや可変長のパケットに変換することなくデコード処理を行うことができる。これにより、エラーの発生したＴＳパケットを特定することができ、エラー処理の結果、無駄にパケットを廃棄する事態を回避できるようになる。しかも、可変長のパケットに変換する必要がなくなるので、エラー処理の負荷を大幅に軽減でき、エラー処理の制御も簡素化できるようになる。
【００４８】
図２に、本実施形態においてＴＳパケットに付加されるエラー情報の説明図を示す。
【００４９】
分離処理部２０のパケット分離部２４は、デジタルチューナ５０からのＴＳからＴＳパケットを分離する。パケット分離部２４によって分離されるＴＳパケットは、１８８バイト長を有する固定長パケットである。エラー処理部２２は、予め決められた種類のエラーの検出処理をＴＳパケットに対して行い、その検出処理結果を４バイト長のエラー情報として生成する。該エラー情報を受けたパケット分離部２４は、４バイトのエラー情報をエラーの検出処理対象の１８８バイトのＴＳパケットに付加した１９２バイト長のパケットデータを、バッファ４０に格納する処理を行う。
【００５０】
図３に、図２のエラー情報の詳細な説明図を示す。
【００５１】
本実施形態におけるエラー情報は、４バイト（＝３２ビット）のうち予め決められたビットに、エラー検出処理結果としてエラーの有無を示すエラーステータスが設定される。図３においては、第２９ビット〜第２４ビット、第１９ビット〜第１６ビットにエラーステータスが設定される。
【００５２】
図４に、図３のエラーステータスの内容の一例の説明図を示す。
【００５３】
エラー情報の第１６ビットには、ＰＭＴのtable_idエラーの有無を示すエラーステータスが設定される。より具体的には、第１６ビットには、ＴＳパケットがＰＭＴパケットの場合に、ＰＭＴパケットのデータ構造で規定されるtable_idが０ｘ０２（「０ｘ」は１６進数を示す）でないときに、table_idエラーが発生したと判断されて「１」が設定される。
【００５４】
エラー情報の第１７ビットには、ＰＭＴのsection_syntax_indicatorエラーの有無を示すエラーステータスが設定される。より具体的には、第１７ビットには、ＴＳパケットがＰＭＴパケットの場合に、ＰＭＴパケットのデータ構造で規定されるsection_syntax_indicatorが０ｘ０１でないときに、section_syntax_indicatorエラーが発生したと判断されて「１」が設定される。
【００５５】
エラー情報の第１８ビットには、ＰＭＴのcurrent_next_indicatorエラーの有無を示すエラーステータスが設定される。より具体的には、第１８ビットには、ＴＳパケットがＰＭＴパケットの場合に、ＰＭＴパケットのデータ構造で規定されるcurrent_next_indicatorが０ｘ０１でないときに、current_next_indicatorエラーが発生したと判断されて「１」が設定される。
【００５６】
エラー情報の第１９ビットには、ＰＭＴのsection_numberエラーの有無を示すエラーステータスが設定される。より具体的には、第１９ビットには、ＴＳパケットがＰＭＴパケットの場合に、ＰＭＴパケットのデータ構造で規定されるsection_numberが０ｘ００でないときに、section_numberエラーが発生したと判断されて「１」が設定される。
【００５７】
エラー情報の第２４ビットには、チューナエラーの有無を示すエラーステータスが設定される。より具体的には、第２４ビットには、デジタルチューナ５０からのＲＳ（Read Solomon）符号エラーのときに、チューナエラーが発生したと判断されて「１」が設定される。ＲＳ符号エラーは、例えばＲＳ符号による誤り訂正が不可能なときに発生する。
【００５８】
エラー情報の第２５ビットには、同期バイト不一致エラーの有無を示すエラーステータスが設定される。より具体的には、第２５ビットには、ＴＳパケットの同期バイトが、予め決められた同期バイトと異なるときに、同期バイト不一致エラーが発生したと判断されて「１」が設定される。
【００５９】
エラー情報の第２６ビットには、巡回冗長検査（Cyclic Redundancy Check：以下、ＣＲＣ）エラーの有無を示すエラーステータスが設定される。より具体的には、第２６ビットには、ＴＳパケットがＰＭＴパケットの場合に、ＣＲＣエラーが検出されたときに、ＣＲＣエラーが発生したと判断されて「１」が設定される。
【００６０】
エラー情報の第２７ビットには、ＴＳパケットサイズ不足の有無を示すエラーステータスが設定される。より具体的には、第２７ビットには、ＴＳパケットのサイズが１８８バイト未満のときに、ＴＳパケットサイズ不足が発生したと判断されて「１」が設定される。
【００６１】
エラー情報の第２８ビットには、ＴＳパケットサイズオーバの有無を示すエラーステータスが設定される。より具体的には、第２８ビットには、ＴＳパケットのサイズが１８９バイト以上のときに、ＴＳパケットサイズオーバが発生したと判断されて「１」が設定される。
【００６２】
エラー情報の第２９ビットには、分離処理部２０（パケット分離部２４）のバッファ４０への書き込み要求中に、バッファ４０に別の書き込み要求が発生したか否かを示すエラーステータスが設定される。即ち、エラー処理部２２が、パケットデータをバッファ４０に書き込むための書き込み要求中に該バッファ４０への別の書き込み要求が発生したことを示すエラー情報をパケットデータに付加するということができる。分離処理部２０（パケット分離部２４）がＴＳパケット及びエラー情報をバッファ４０に書き込みを行っている最中に、例えばデコーダ３０がバッファ４０に対して書き込み要求を行ったときに、「１」が設定される。これは、次々到来するＴＳを処理する場合に、各部の処理が追いつかずに、２つの書き込み要求を受けたバッファ４０への書き込みデータが完全なものであることを保証できないことを示し、ＴＳパケットのデコード処理を継続するか否かの判断は後段に任せるためにエラーステータスが「１」に設定される。
【００６３】
例えば第１６ビット、第１７ビット、第１８ビット、及び第１９ビットのうち少なくとも１つが「１」の場合、当該エラーステータスを含むエラー情報が付加されたＴＳパケットを廃棄することが望ましい。これは、ＰＭＴを解析するホスト６０によって、分離処理部２０で分離されるＴＳパケットが決定されるため、ＰＭＴの内容が不完全な場合にまで敢えてＰＭＴを解析する必要はなく、ＴＳパケットを廃棄して次に到来するＰＭＴを待つ方が、正常なＴＳパケットで再生できる可能性が高くなり、制御の簡素を図ることができるからである。
【００６４】
なお、図４に示すすべてのエラーステータスを検出する必要はなく、ＰＭＴのデータ構造におけるtable_id、section_syntax_indicator、current_next_indicator、section_numberのうち少なくとも１つのエラーを検出し、エラーの有無を示すエラー情報を該パケットデータに付加してもよい。
【００６５】
ところで、エラー処理部２２において生成されるエラー情報は、該エラー情報が付加されるパケットデータに先立って読み出されるようにバッファ４０の記憶領域に格納されることが望ましい。
【００６６】
図５に、本実施形態におけるエラー情報及びＴＳパケットのバッファ４０の格納状況の説明図を示す。
【００６７】
バッファ４０にアドレス値が割り振られており、該アドレス値によってＴＳパケットが格納される各記憶領域が特定されるようになっている。ここで、例えばデコーダ３０が、アドレス値の小さい記憶領域からアドレス値の大きい記憶領域まで順番にＴＳパケット及びエラー情報を読み出すものとする。
【００６８】
このとき本実施形態におけるエラー情報をアドレス値の小さい０番地の記憶領域に格納し、該エラー情報を付加するＴＳパケットをアドレス値の大きい１番地〜４７番地の記憶領域に格納することが望ましい。このように、ＴＳパケット毎に、該ＴＳパケットの記憶領域よりもアドレス値の記憶領域にエラー情報を格納することで、例えばデコーダ３０又はホスト６０は、まずエラー情報を読み出してエラーの判別をすればよい。例えばＴＳパケットを廃棄することを決定した場合、その後のアドレス値の大きい記憶領域に格納されるＴＳパケットを読み出すことなく、次のＴＳパケットのエラー情報を読み出す処理を行えばよい。
【００６９】
図６に、本実施形態におけるエラー情報の付加のタイミングの一例を示す。
【００７０】
デジタルチューナ５０からは２０４バイトの伝送ＴＳＰ（Transport Stream Packet）がデコード装置１０に入力される。伝送ＴＳＰは、１８８バイト長のＴＳパケットと１６バイト長のＲＳ符号のパリティビットとが多重化されたストリームデータである。
【００７１】
例えば時刻ＴＧ１に、デコード装置１０に伝送ＴＳＰが入力されたとき、エラー処理部２２は、エラー検出処理を開始する。また、パケット分離部２４も、ホスト６０によって設定されたＰＩＤに対応したＴＳパケットを分離する処理を開始し、時刻ＴＧ２以降、分離したＴＳパケットをバッファ４０に格納する処理を行う。
【００７２】
そして、次の伝送ＴＳが時刻ＴＧ１０に入力されたとき、時刻ＴＧ１に開始したエラー検出処理結果であるエラー情報を、図５に示したように、ＴＳパケットより読み出し順序が先になるようにバッファ４０に格納する。即ち、時刻ＴＧ１０で開始される分離処理の結果得られたパケットデータをバッファ４０に書き込むのに先立って、直前のパケットデータに付加されるエラー情報をバッファ４０に書き込む。こうすることで、図４に示すＴＳパケットサイズ不足を容易に検出し、且つ処理の遅延なく、次々と到来する伝送ＴＳＰに対するエラー情報の付加処理を継続できる。
【００７３】
これ以降、同様にＴＳパケット及びエラー情報の格納処理が行われる。このとき、図１に示すように、バッファ４０には、ＰＭＴを設定するためのＴＳパケット、ＮＩＴを設定するためのＴＳパケット、文字／字幕情報を表示するためのＴＳパケット、ＢＭＬを表示するためのＴＳパケット、ＰＳＩ／ＳＩを設定するためのＴＳパケット、映像用ＴＳパケット、音声用ＴＳパケットが、各記憶領域に格納される。
【００７４】
次に、このように検出されたエラー情報を参照するホスト６０及びデコーダ３０の処理例について説明する。
【００７５】
図７に、本実施形態におけるホスト６０のエラー処理の一例のフロー図を示す。
【００７６】
ホスト６０は、図示しないメモリに格納されたプログラムを読み出し、該プログラムに対応した処理を実行することで図７に示す処理を行うことができるようになっている。
【００７７】
まず、ホスト６０は、バッファ４０からＰＭＴを設定するためのＴＳパケットを１パケット分読み出して、取得する（ステップＳ１０）。このとき、ホスト６０は、エラー情報及びＴＳパケットを読み出す。そして、図３及び図４に示すように、第１６ビット〜第１９ビット（或いは第２６ビットも含めて）のいずれかのエラーステータスが「１」であるか否かを判別する（ステップＳ１１）。
【００７８】
ステップＳ１１において、上述のいずれのエラーステータスも「０」であることが判別されたとき（ステップＳ１１：Ｙ）、ＴＳパケットのヘッダであるＴＳヘッダのパケットユニット開始表示（Packet Unit Start Indicator：以下、ＰＵＳＩ）が「１」であるか否かを判別する（ステップＳ１２）。複数のペイロードを連結することでセクションが生成される場合に、ＰＵＳＩが「１」のパケットのペイロードがそのセクションの先頭のパケットであることを示す。
【００７９】
ステップＳ１２において、ＰＵＳＩが「１」であることが検出されたとき（ステップＳ１２：Ｙ）、ホスト６０はＴＳヘッダを削除する処理を行い（ステップＳ１３）、ヘッダ削除後のデータを、図示しないメモリのセクションメモリエリア内に保存する（ステップＳ１４）。
【００８０】
そして、１つのセクションを取得したと判別されたとき（ステップＳ１５：Ｙ）、一連の処理を終了する（エンド）。
【００８１】
ステップＳ１１において上述のいずれかのエラーステータスが「１」であることが検出されたとき（ステップＳ１１：Ｎ）、ステップＳ１２においてＰＵＳＩが「０」であることが検出されたとき（ステップＳ１２：Ｎ）、或いはステップＳ１５において１つのセクションを取得していないと判別されたとき（ステップＳ１５：Ｎ）、バッファ４０のリードポインタを更新する処理を行い（ステップＳ１６）、ステップＳ１０に戻る。
【００８２】
なお、図７では、ホスト６０が、エラー情報及びＴＳパケットを同時に読み出すものとして説明したが、エラー情報を読み出してエラーが検出されなかったことを条件に、該エラー情報が付加されるＴＳパケットを読み出してもよい。ただ、図７のようにエラー情報及びＴＳパケットを同時に読み出した場合であっても、図５のようにエラー情報が格納されているため、リードポインタの更新処理が簡素化されるという効果が得られる。
【００８３】
以上のように、ホスト６０は、セクションを取得すると、該セクションを解析した結果として、映像用ＴＳパケットや音声用ＴＳパケットのＰＩＤを抽出し、該ＰＩＤを分離処理部２０に設定する処理を行う。また、ホスト６０は、図３及び図４に示すように、第１６ビット〜第１９ビット（或いは第２６ビットも含めて）のいずれかのエラーステータスが「１」であることが検出されたとき、バッファ４０のリードポインタを更新する。即ち、バッファ４０に格納された当該ＴＳパケットを廃棄する処理を行う。
【００８４】
図８に、本実施形態におけるデコーダ３０のエラー処理の一例のフロー図を示す。
【００８５】
デコーダ３０は、図示しないメモリに格納されたプログラムを読み出し、該プログラムに対応した処理を実行することで図８に示す処理を行うことができるようになっている。
【００８６】
デコーダ３０は、エラー情報に基づいてエラーの発生が検出された回数を示すエラーカウントを保持するようになっており、該エラーカウントを初期化する処理を行う（ステップＳ２０）。次に、デコーダ３０は、バッファ４０からＴＳパケットを読み出す（ステップＳ２１）。このとき、デコーダ３０は、エラー情報及びＴＳパケットを読み出す。
【００８７】
そして、図４のエラーステータスのうち、第２４ビット、第２５ビット、第２７ビット、第２８ビット、第２９ビットのいずれもが「０」であるか否かを判別する（ステップＳ２２）。そして、エラーステータスのいずれもが「０」であることが検出されたとき（ステップＳ２２：Ｙ）、所与の映像デコード処理又は音声デコード処理を行い（ステップＳ２３）、一連の処理を終了する（エンド）。
【００８８】
ステップＳ２２において、上述のエラーステータスのいずれかが「１」であることが検出されたとき（ステップＳ２２：Ｎ）、エラーカウントをインクリメントする（ステップＳ２４）。インクリメント後のエラーカウントが所与の閾値以上であるか否かを判別し（ステップＳ２５）、該エラーカウントが閾値以上であることが検出されたとき（ステップＳ２６：Ｙ）、デコーダ３０はホスト６０にエラーの発生をコマンドで通知し（ステップＳ２６）、ステップＳ２０に戻る。例えばエラーステータスの種類毎にエラーカウントをインクリメントすることで、コマンドを受けたホスト６０は、発生したエラーに応じたエラー処理を行うことができる。例えばチューナエラーが頻発する場合は、その旨を表示したり、チューナを初期化したり、ＴＳパケットを廃棄したりできる。
【００８９】
ステップＳ２５において、インクリメント後のエラーカウントが所与の閾値以上ではないことが検出されたとき（ステップＳ２５：Ｎ）、ステップＳ２１に戻る。
【００９０】
なお、図８では、デコーダ３０が、エラー情報及びＴＳパケットを同時に読み出すものとして説明したが、エラー情報を読み出してエラーが検出されなかったことを条件に、該エラー情報が付加されるＴＳパケットを読み出してもよい。
【００９１】
以上のように、デコーダ３０は、エラーが検出されたときデコード処理を行わず、エラーカウントが閾値以上になったときホスト６０にエラー処理を任せることができる。従って、ＴＳパケットを可変長のセクションや可変長のＰＥＳ（Packetized Elementary Stream）パケットに変換することなく、エラーの発生を検出でき、デコード処理又はＴＳパケットの廃棄を行わせることが可能となる。
【００９２】
１．１  変形例
なお、本実施形態では、ＰＭＴのエラーを検出するものとして説明したが、これに限定されるものではなく、図９に示すようなパケットについてエラーを検出し、そのエラー情報をＴＳパケットに付加することができる。
【００９３】
ここでは、図９のパケットのうち、ＮＩＴパケットのエラーを検出する場合について説明する。
【００９４】
図１０に、本実施形態におけるエラーステータスの他の例を示す。
【００９５】
例えばエラー情報の所定のビットには、ＮＩＴのtable_idエラーの有無を示すエラーステータスが設定される。より具体的には、ＴＳパケットがＮＩＴパケットの場合に、ＮＩＴパケットのデータ構造で規定されるtable_idが０ｘ４０でないときに、table_idエラーが発生したと判断されて「１」が設定される。
【００９６】
また、エラー情報の所定のビットには、ＮＩＴのsection_syntax_indicatorエラーの有無を示すエラーステータスが設定される。より具体的には、ＴＳパケットがＮＩＴパケットの場合に、ＮＩＴパケットのデータ構造で規定されるsection_syntax_indicatorが０ｘ０１でないときに、section_syntax_indicatorエラーが発生したと判断されて「１」が設定される。
【００９７】
或いはエラー情報の所定のビットには、ＮＩＴのnetwork_idエラーの有無を示すエラーステータスが設定される。より具体的には、ＴＳパケットがＮＩＴパケットの場合に、ＮＩＴパケットのデータ構造で規定されるnetwork_idがＰＡＴから得られたTS_idと同一値でないときに、network_idエラーが発生したと判断されて「１」が設定される。
【００９８】
或いはまた、エラー情報の所定のビットには、ＮＩＴのcurrent_next_indicatorエラーの有無を示すエラーステータスが設定される。より具体的には、ＴＳパケットがＮＩＴパケットの場合に、ＮＩＴパケットのデータ構造で規定されるcurrent_next_indicatorが０ｘ０１でないときに、current_next_indicatorエラーが発生したと判断されて「１」が設定される。
【００９９】
更には、エラー情報の所定のビットには、ＮＩＴのsection_numberエラーの有無を示すエラーステータスが設定される。より具体的には、ＴＳパケットがＮＩＴパケットの場合に、ＮＩＴパケットのデータ構造で規定されるsection_numberが、ＮＩＴにおけるlast_section_number以下のときに、section_numberエラーが発生したと判断されて「１」が設定される。
【０１００】
図１１に、本実施形態の変形例におけるホスト６０のエラー処理の一例のフロー図を示す。
【０１０１】
図１１では、ＮＩＴのエラー情報に基づくエラー処理の例を示している。
【０１０２】
ホスト６０は、図示しないメモリに格納されたプログラムを読み出し、該プログラムに対応した処理を実行することで図１１に示す処理を行うことができるようになっている。
【０１０３】
まず、ホスト６０は、バッファ４０からＮＩＴを設定するためのＴＳパケットを１パケット分読み出して、取得する（ステップＳ３０）。このとき、ホスト６０は、エラー情報及びＴＳパケットを読み出す。そして、図１０に示すいずれかのエラーステータスが「１」であるか否かを判別する（ステップＳ３１）。
【０１０４】
ステップＳ３１において、上述のいずれのエラーステータスも「０」であることが判別されたとき（ステップＳ３１：Ｙ）、ＴＳパケットのヘッダであるＴＳヘッダのＰＵＳＩが「１」であるか否かを判別する（ステップＳ３２）。
【０１０５】
ステップＳ３２において、ＰＵＳＩが「１」であることが検出されたとき（ステップＳ３２：Ｙ）、ホスト６０はＴＳヘッダを削除する処理を行い（ステップＳ３３）、ヘッダ削除後のデータを、図示しないメモリのセクションメモリエリア内に保存する（ステップＳ３４）。
【０１０６】
そして、１つのセクションを取得したと判別されたとき（ステップＳ３５：Ｙ）、一連の処理を終了する（エンド）。
【０１０７】
ステップＳ３１において上述のいずれかのエラーステータスが「１」であることが検出されたとき（ステップＳ３１：Ｎ）、ステップＳ３２においてＰＵＳＩが「０」であることが検出されたとき（ステップＳ３２：Ｎ）、或いはステップＳ３５において１つのセクションを取得していないと判別されたとき（ステップＳ３５：Ｎ）、バッファ４０のリードポインタを更新する処理を行い（ステップＳ３６）、ステップＳ３０に戻る。
【０１０８】
なお、図１１では、ホスト６０が、エラー情報及びＴＳパケットを同時に読み出すものとして説明したが、エラー情報を読み出してエラーが検出されなかったことを条件に、該エラー情報が付加されるＴＳパケットを読み出してもよい。ただ、図１１のようにエラー情報及びＴＳパケットを同時に読み出した場合であっても、図５のようにエラー情報が格納されているため、リードポインタの更新処理が簡素化される効果が得られる。
【０１０９】
以上のように、ホスト６０は、セクションを取得すると、該セクションを解析した結果として、映像用ＴＳパケットや音声用ＴＳパケットのＰＩＤを抽出し、該ＰＩＤを分離処理部２０に設定する処理を行う。また、ホスト６０は、図１０に示すいずれかのエラーステータスが「１」であることが検出されたとき、バッファ４０のリードポインタを更新する。即ち、バッファ４０に格納された当該ＴＳパケットを廃棄する処理を行う。
【０１１０】
本変形例において、デコーダ３０のエラー処理は本実施形態と同様であるため、説明を省略する。
【０１１１】
なお、本変形例におけるＮＩＴのエラー情報の付加を、本実施形態におけるＰＭＴのエラー情報の付加に代えて、或いは加えてもよい。
【０１１２】
図１２に、本実施形態の他の変形例におけるエラーステータスの例を示す。
【０１１３】
例えばエラー情報の所定のビットには、ＰＡＴのtable_idエラーの有無を示すエラーステータスが設定される。より具体的には、ＴＳパケットがＰＡＴパケットの場合に、ＰＡＴパケットのデータ構造で規定されるtable_idが０ｘ００でないときに、table_idエラーが発生したと判断されて「１」が設定される。
【０１１４】
また、エラー情報の所定のビットには、ＰＡＴのsection_syntax_indicatorエラーの有無を示すエラーステータスが設定される。より具体的には、ＴＳパケットがＰＡＴパケットの場合に、ＰＡＴパケットのデータ構造で規定されるsection_syntax_indicatorが０ｘ０１でないときに、section_syntax_indicatorエラーが発生したと判断されて「１」が設定される。
【０１１５】
或いは、エラー情報の所定のビットには、ＰＡＴのcurrent_next_indicatorエラーの有無を示すエラーステータスが設定される。より具体的には、ＴＳパケットがＰＡＴパケットの場合に、ＰＡＴパケットのデータ構造で規定されるcurrent_next_indicatorが０ｘ０１でないときに、current_next_indicatorエラーが発生したと判断されて「１」が設定される。
【０１１６】
更には、エラー情報の所定のビットには、ＰＡＴのsection_numberエラーの有無を示すエラーステータスが設定される。より具体的には、ＴＳパケットがＰＡＴパケットの場合に、ＰＡＴパケットのデータ構造で規定されるsection_numberが０ｘ００ではないときに、section_numberエラーが発生したと判断されて「１」が設定される。
【０１１７】
ホスト６０のエラー処理は、ＰＡＴの場合もＮＩＴの場合も同様であるため、詳細な説明を省略する。また、デコーダ３０のエラー処理もまた、図８と同様であるため、詳細な説明を省略する。
【０１１８】
以上のように、本変形例によれば、ＰＡＴ又はＮＩＴのエラーを検出し、エラーの有無を示すエラー情報をパケットデータに付加することができる。なお、本変形例におけるＮＩＴ及びＰＡＴのエラー情報の付加を、本実施形態におけるＰＭＴのエラー情報の付加に代えて、或いは加えて行ってもよい。そして、エラー情報に基づいて、ＰＭＴ、ＰＡＴ又はＮＩＴのエラーが検出されたパケットデータは廃棄されることが望ましい。
【０１１９】
以上説明したように、本実施形態又はその変形例におけるデコード装置によれば、パケット単位にエラーを検出してバッファリングされるので、エラーの発生したパケットを特定でき、無駄なＴＳパケットの廃棄を行うことなくエラー検出処理のための制御及び構成の簡素化できる。
【０１２０】
２．  情報再生装置
次に、本実施形態又はその変形例における上述のデコード装置が適用される情報再生装置について説明する。本実施形態における情報再生装置は、地上デジタル放送の再生を行うことができる。
【０１２１】
２．１  １セグメント放送の概要
地上アナログ放送に代わって登場する地上デジタル放送では、画像及び音声の高品質化に加えて種々の新サービスの提供に期待が寄せられている。
【０１２２】
図１３に、地上デジタル放送のセグメントの概念の説明図を示す。
【０１２３】
地上デジタル放送では、予め割り当てられた周波数帯域を１４個のセグメントに分割し、そのうちの１３個のセグメントＳＥＧ１〜ＳＥＧ１３を使って放送が行われる。残り１個のセグメントは、ガードバンドとして用いられる。そして、放送を行うための１３個のセグメントのうちの１個のセグメントＳＥＧｍが、携帯端末向けの放送の周波数帯域に割り当てられる。
【０１２４】
１セグメント放送では、それぞれが符号化（圧縮処理）された映像データ、音声データ、その他のデータ（制御データ）が多重化されたトランスポートストリーム（Transport Stream：ＴＳ）が伝送される。より具体的には、ＴＳの各パケットにリードソロモン符号の誤り訂正用符号が付加された後、階層分割され、各階層において畳み込み符号化やキャリア変調が施される。そして、階層合成後に、周波数インターリーブ、時間インターリーブが行われ、受信側に必要なパイロット信号を付加してＯＦＤＭセグメントフレームが形成される。このＯＦＤＭセグメントフレームに対し、逆フーリエ変換演算が施されてＯＦＤＭ信号として伝送される。
【０１２５】
図１４に、ＴＳの説明図を示す。
【０１２６】
ＴＳは、図１４に示すように複数のＴＳパケット列で構成されている。各ＴＳパケットの長さは、１８８バイトに固定されている。各ＴＳパケットは、４バイトのＴＳヘッダ（TS Header：ＴＳＨ）と呼ばれるヘッダ情報が付加されており、ＴＳパケットの識別子となるＰＩＤ（Packet Identifier）を含む。１セグメント放送の番組は、ＰＩＤにより特定される。
【０１２７】
ＴＳパケットは、アダプテーションフィールドを含み、映像データ、音声データ等の同期再生の基準となる時刻情報であるＰＣＲ（Program Clock Reference）やダミーデータが埋め込まれる。ペイロードは、ＰＥＳ（Packetized Elementary Stream）パケットやセクションを生成するためのデータを含む。
【０１２８】
図１５に、ＰＥＳパケット及びセクションの説明図を示す。
【０１２９】
ＰＥＳパケット及びセクションのそれぞれは、１又は複数のＴＳパケットの各ＴＳパケットのペイロードにより構成される。ＰＥＳパケットは、ＰＥＳヘッダとペイロードとを含み、該ペイロードには、映像データ、音声データ又は字幕データがＥＳ（Elementary Stream）データとして設定される。セクションには、ＰＥＳパケットに設定される映像データ等の番組情報等が設定される。
【０１３０】
従って、ＴＳを受信すると、まずセクションに含まれる番組情報を解析し、放送される番組に対応するＰＩＤを特定する必要がある。そして、該ＰＩＤに対応する映像データ、音声データをＴＳから抽出し、抽出後の映像データ、音声データを再生することになる。
【０１３１】
２．２  携帯端末
１セグメント放送の受信機能を有する携帯端末では、上記のようなパケットの解析等の処理が必要となる。即ち、このような携帯端末では、高い処理能力が要求される。そのため、携帯端末（広義には電子機器）としての従来の携帯電話機に、１セグメント放送の受信機能を付加する場合には、高い処理能力を有するプロセッサ等を更に追加する必要がある。
【０１３２】
図１６に、本実施形態の比較例におけるマルチメディア処理ＣＰＵを含む携帯電話機の構成例のブロック図を示す。
【０１３３】
この携帯電話機９００では、アンテナ９１０を介して受信された受信信号を復調して電話用ＣＰＵ９２０が着呼処理を行い、電話用ＣＰＵ９２０が発呼処理を行った信号が変調されてアンテナ９１０を介して送信される。電話用ＣＰＵ９２０は、メモリ９２２に格納されたプログラムを読み込んで着呼処理及び発呼処理を行うことができる。
【０１３４】
またアンテナ９３０を介して受信された受信信号から、チューナ９４０を介して希望信号が取り出されると、該希望信号をＯＦＤＭ信号として上記と逆の手順でＴＳが生成される。マルチメディア処理ＣＰＵ９５０は、生成されたＴＳからＴＳパケットを解析してＰＥＳパケット及びセクションを判別し、所望の番組のＴＳパケットから映像データ、音声データのデコード処理を行う。マルチメディア処理ＣＰＵ９５０は、メモリ９５２に格納されたプログラムを読み込んで上記のパケットの解析処理やデコード処理を行うことができる。表示パネル９６０は、デコード処理後の映像データに基づいて表示出力を行い、スピーカ９７０は、デコード処理後の音声データに基づいて音声出力を行う。
【０１３５】
このようにマルチメディア処理ＣＰＵ９５０として、非常に高い処理能力が必要となる。高い処理能力を有するプロセッサは、一般的に、動作周波数が高くなったり、回路規模が大きくなったりしてしまう。
【０１３６】
ところで、１セグメント放送のビットレートを考慮すると、その帯域のほとんどが映像データや音声データの帯域となり、データ放送自体の帯域が狭くなると考えられる。従って、マルチメディア処理ＣＰＵで実現できる処理のうち、映像データや音声データの再生処理のみで済む場合もあるにもかかわらず、マルチメディア処理ＣＰＵを常に動作させる必要があり、消費電力の増大を招く。
【０１３７】
そこで、本実施形態では、映像データのデコード処理を行う映像デコーダと音声データのデコード処理を行う音声デコーダとを独立して設け、それぞれ独立にデコード処理を行わせることで、それぞれの処理能力として低いものを採用できる。更に、映像デコーダ及び音声データの一方の動作を適宜停止させて柔軟に低消費電力化を図ることができる。
【０１３８】
更には、映像デコーダ及び音声デコーダを並列動作させることができるため、各デコーダの処理能力を低くて済み、より低消費電力化及び低コスト化を実現できる。
【０１３９】
図１７に、本実施形態における情報再生装置を含む携帯電話機の構成例のブロック図を示す。なお図１７において、図１６と同一部分には同一符号を付し、適宜説明を省略する。
【０１４０】
携帯電話機１００は、ホストＣＰＵ（広義にはホスト）１１０、ＲＡＭ（Random Access Memory）１２０、ＲＯＭ（Read Only Memory）１３０、表示ドライバ１４０、ＤＡＣ（Digital-to-Analog Converter）１５０、画像処理ＩＣ（Integrated Circuit)（広義には情報再生装置）２００を含むことができる。更に携帯電話機１００は、アンテナ９１０、９３０、チューナ９４０、表示パネル９６０、スピーカ９７０を含む。
【０１４１】
ホストＣＰＵ１１０は、図１６の電話用ＣＰＵ９２０の機能を有すると共に、画像処理ＩＣ２００を制御する機能を有する。ホストＣＰＵ１１０は、ＲＡＭ１２０又はＲＯＭ１３０に格納されたプログラムを読み出し、図１６の電話用ＣＰＵ９２０の処理、画像処理ＩＣ２００を制御する処理を行う。この際、ホストＣＰＵ１１０は、ＲＡＭ１２０をワークエリアとして用いることができる。
【０１４２】
画像処理ＩＣ２００は、チューナ９４０からのＴＳから、映像データを生成するための映像用ＴＳパケット（第１のＴＳパケット）、音声データを生成するための音声用ＴＳパケット（第２のＴＳパケット）を抽出し、図示しない共有メモリにバッファリングする。そして画像処理ＩＣ２００は、互いに独立して動作停止制御が可能な映像デコーダ及び音声デコーダ（図示せず）を含み、映像デコーダ及び音声デコーダが、それぞれ映像用ＴＳパケット及び音声用ＴＳパケットをデコードして映像データ及び音声データを生成する。映像データ及び音声データは、同期しながら、それぞれ表示ドライバ１４０及びＤＡＣ１５０に供給される。ホストＣＰＵ１１０は、このような画像処理ＩＣ２００に対し、映像デコード処理及び音声デコード処理の処理開始を指示することができる。なおホストＣＰＵ１１０は、画像処理ＩＣ２００に対し、映像デコード処理及び音声デコード処理の少なくとも１つの処理開始を指示するようにしてもよい。
【０１４３】
表示ドライバ（広義には駆動回路）１４０は、映像データに基づいて表示パネル（広義には電気光学装置）９６０を駆動する。より具体的には、表示パネル９６０は、複数の走査線、複数のデータ線、各画素が各走査線及び各データ線により特定される複数の画素を有し、表示パネル９６０として液晶表示（Liquid Crystal Display）パネルを採用できる。表示ドライバ１４０は、複数の走査線を走査する走査ドライバの機能と、該映像データに基づいて複数のデータ線を駆動するデータドライバの機能とを有する。
【０１４４】
ＤＡＣ１５０は、デジタル信号である音声データをアナログ信号に変換し、スピーカ９７０に供給する。スピーカ９７０は、ＤＡＣ１５０からのアナログ信号に対応した音声出力を行う。
【０１４５】
２．３  情報再生装置
図１８に、本実施形態の情報再生装置としての図１７の画像処理ＩＣ２００の構成例のブロック図を示す。
【０１４６】
画像処理ＩＣ２００は、ＴＳ分離部（分離処理部）２１０と、メモリ（共有メモリ）２２０と、映像デコーダ２３０と、音声デコーダ２４０とを含む。また画像処理ＩＣ２００は、更に、表示制御部２５０と、チューナＩ／Ｆ（Interface）２６０と、ホストＩ／Ｆ２７０と、ドライバＩ／Ｆ２８０と、オーディオＩ／Ｆ２９０とを含む。メモリ２２０は、図１のバッファ４０の機能を有する。
【０１４７】
ＴＳ分離部２１０は、映像データを生成するための映像用ＴＳパケット（第１のＴＳパケット）、音声データを生成するための音声用ＴＳパケット（第２のＴＳパケット）、映像用ＴＳパケット及び音声用ＴＳパケット以外のパケット（第３のＴＳパケット）を、ＴＳから抽出する。ＴＳ分離部２１０は、ＴＳから一旦抽出された第３のＴＳパケットを解析するホストＣＰＵ１１０の解析結果に基づいて、第１及び第２のＴＳパケットを抽出することができる。このＴＳ分離部２１０は、図１の分離処理部２０の機能を有する。即ち、ＴＳ分離部２１０が、第１〜第３のＴＳパケットの各ＴＳパケットのエラーを検出し、エラーの有無を示すエラー情報を各ＴＳパケットに付加し、各ＴＳパケットを可変長のセクションやＰＥＳ（Packetized Elementary Stream）パケットに変換することなく、エラー情報に基づいて、映像デコード処理、音声デコード処理又はＴＳパケットの廃棄を行うことができる。このＴＳパケットの廃棄は、画像処理ＩＣ２００からホストＣＰＵ１１０に通知して行ってもよい。
【０１４８】
映像デコーダ２３０は、メモリ２２０の記憶領域のうち映像用ＴＳパケット専用に設けられた記憶領域から映像用ＴＳパケットを読み出し、該映像用ＴＳパケットに基づいて映像データを生成する映像デコード処理を行うと共に、映像データと音声データを同期して再生するための基準タイミングを生成する。
【０１４９】
音声デコーダ２４０は、メモリ２２０の記憶領域のうち音声用ＴＳパケット専用に設けられた記憶領域から音声用ＴＳパケットを読み出し、該音声用ＴＳパケットに基づいて音声データを生成する音声デコード処理を行う。
【０１５０】
映像デコーダ２３０及び音声デコーダ２４０の少なくとも一方は、デコーダ３０の機能を有する。
【０１５１】
表示制御部２５０は、メモリ２２０から読み出された映像データにより表される画像の向きを回転させる回転処理や該画像のサイズを縮小又は拡大させるリサイズ処理を行う。回転処理後のデータやリサイズ処理後のデータは、ドライバＩ／Ｆ２８０に供給される。表示制御部２５０は、表示タイミングに合わせて、処理後のデータをドライバＩ／Ｆ２８０に転送する制御を行う。
【０１５２】
チューナＩ／Ｆ２６０は、チューナ９４０とのインタフェース処理を行う。より具体的には、チューナＩ／Ｆ２６０は、チューナ９４０からのＴＳを受信する制御を行う。チューナＩ／Ｆ２６０は、ＴＳ分離部２１０に接続される。チューナＩ／Ｆ２６０に接続されるチューナ９４０が、図１のデジタルチューナ５０に相当する。
【０１５３】
ホストＩ／Ｆ２７０は、ホストＣＰＵ１１０とのインタフェース処理を行う。より具体的には、ホストＩ／Ｆ２７０は、ホストＣＰＵ１１０との間のデータの送受信の制御を行う。ホストＩ／Ｆ２７０は、ＴＳ分離部２１０、メモリ２２０、表示制御部２５０、オーディオＩ／Ｆ２９０に接続される。ホストＩ／Ｆ２７０に接続されるホストＣＰＵ１１０が、図１のホスト６０の機能を実現する。
【０１５４】
ドライバＩ／Ｆ２８０は、表示制御部２５０を介してメモリ２２０から所定の周期で映像データを読み出し、該映像データを表示ドライバ１４０に対して供給する。ドライバＩ／Ｆ２８０は、表示ドライバ１４０に対して映像データを送信するためのインタフェース処理を行う。
【０１５５】
オーディオＩ／Ｆ２９０は、メモリ２２０から所定の周期で音声データを読み出し、該音声データをＤＡＣ１５０に対して供給する。オーディオＩ／Ｆ２９０は、ＤＡＣ１５０に対して音声データを送信するためのインタフェース処理を行う。
【０１５６】
このような画像処理ＩＣ２００では、ＴＳ分離部２１０により、チューナ９４０からのＴＳからＴＳパケットが抽出される。ＴＳパケットは、共有メモリとしてのメモリ２２０の予め割り当てられた記憶領域に格納される。そして、映像デコーダ２３０及び音声デコーダ２４０が、それぞれメモリ２２０に割り当てられた専用の記憶領域からＴＳパケットを読み出して、映像データ及び音声データを生成し、互いに同期した映像データ及び音声データを表示ドライバ１４０及びＤＡＣ１５０に対して供給することができる。
【０１５７】
図１９に、図１８の画像処理ＩＣ２００の動作説明図を示す。
【０１５８】
図１９において、図１８と同一部分には同一符号を付し、適宜説明を省略する。
【０１５９】
メモリ２２０は、第１〜第８の記憶領域ＡＲ１〜ＡＲ８を有し、各記憶領域が予め割り当てられている。ＴＳ分離部２１０によって分離されたＴＳパケットと、該ＴＳパケットについてＴＳ分離部２１０で行われたエラー検出処理結果としてのエラー情報とが、各記憶領域に格納される。
【０１６０】
第１の記憶領域ＡＲ１には、映像用ＴＳパケット専用の記憶領域として、ＴＳ分離部２１０によって抽出された映像用ＴＳパケット（第１のＴＳパケット）が格納される。第２の記憶領域ＡＲ２には、音声用ＴＳパケット専用の記憶領域として、ＴＳ分離部２１０によって抽出された音声用ＴＳパケット（第２のＴＳパケット）が格納される。第３の記憶領域ＡＲ３には、ＴＳ分離部２１０によって抽出されたＴＳパケットのうち映像用ＴＳパケット及び音声用ＴＳパケットを除くＴＳパケット（第３のＴＳパケット）が格納される。
【０１６１】
第４の記憶領域ＡＲ４には、映像用ＥＳデータ専用の記憶領域として、映像デコーダ２３０によって生成された映像用ＥＳデータが格納される。第５の記憶領域ＡＲ５には、音声用ＥＳデータ専用の記憶領域として、音声デコーダ２４０によって生成された音声用ＥＳデータが格納される。
【０１６２】
第６の記憶領域ＡＲ６には、ホストＣＰＵ１１０によって生成されるＴＳが、ＴＳＲＡＷデータとして格納される。ＴＳＲＡＷデータは、チューナ９４０からのＴＳに替わってホストＣＰＵ１１０により設定される。そして、ＴＳ分離部２１０は、ＴＳＲＡＷデータとして設定されたＴＳから、映像用ＴＳパケット、音声用ＴＳパケット、その他のＴＳパケットが抽出されるようになっている。
【０１６３】
第７の記憶領域ＡＲ７には、映像デコーダ２３０によるデコード処理後の映像データが格納される。第７の記憶領域ＡＲ７に格納された映像データは、表示制御部２５０によって読み出され、表示パネル９６０による映像出力に供される。第８の記憶領域ＡＲ８には、音声デコーダ２４０によるデコード処理後の音声データが格納される。第８の記憶領域ＡＲ８に格納された音声データは、スピーカ９７０による音声出力に供される。
【０１６４】
映像デコーダ２３０は、ヘッダ削除処理部２３２と、映像デコード処理部２３４とを含む。ヘッダ削除処理部２３２は、第１の記憶領域ＡＲ１から映像用ＴＳパケットを読み出し、該映像用ＴＳパケットのＴＳヘッダを解析してＰＥＳパケット（第１のＰＥＳパケット）を生成した後、そのＰＥＳヘッダを削除する処理を行ってそのペイロード部を映像用ＥＳデータとしてメモリ２２０の第４の記憶領域ＡＲ４に格納する。そして、ヘッダ削除処理部２３２を含む映像デコーダ２３０が、表示タイミングに合わせて、表示制御部２５０に対して画像データの転送指示を行う。
【０１６５】
映像デコード処理部２３４は、第４の記憶領域ＡＲ４から映像用ＥＳデータを読み出し、Ｈ．２６４／ＡＶＣ（Advanced Video Coding）の規格に従ったデコード処理（広義には映像デコード処理）を行って生成される映像データを第７の記憶領域ＡＲ７に書き込む。
【０１６６】
音声デコーダ２４０は、ヘッダ削除処理部２４２と、音声デコード処理部２４４とを含む。ヘッダ削除処理部２４２は、第２の記憶領域ＡＲ２から音声用ＴＳパケットを読み出し、該音声用ＴＳパケットのＴＳヘッダを解析してＰＥＳパケット（第２のＰＥＳパケット）を生成した後、そのＰＥＳヘッダを削除する処理を行ってそのペイロード部を音声用ＥＳデータとしてメモリ２２０の第５の記憶領域ＡＲ５に格納する。音声デコード処理部２４４は、第５の記憶領域ＡＲ５から音声用ＥＳデータを読み出し、ＭＰＥＧ−２ＡＡＣ（Advanced Audio Coding）の規格に従ったデコード処理（広義には音声デコード処理）を行って生成される音声データを第８の記憶領域ＡＲ８に書き込む。
【０１６７】
そして、映像デコーダ２３０が、第１の記憶領域ＡＲ１から映像用ＴＳパケット（第１のＴＳパケット）を、音声デコーダ２４０とは独立して読み出し、該映像用ＴＳパケットに基づいて上記の映像デコード処理を行う。また音声デコーダ２４０が、第２の記憶領域ＡＲ２から音声用ＴＳパケット（第２のＴＳパケット）を、映像デコーダ２３０とは独立して読み出し、該音声用ＴＳパケットに基づいて上記の音声デコード処理を行う。こうすることで、映像と音声とを同期させて出力させる場合には映像デコーダ２３０及び音声デコーダ２４０を動作させることができる一方、映像のみを出力させる場合には映像デコーダ２３０のみを動作させて音声デコーダ２４０の動作を停止させることができる。また音声のみを出力させる場合には音声デコーダ２４０のみを動作させて映像デコーダ２３０の動作を停止させることができる。
【０１６８】
ホストＣＰＵ１１０は、第３の記憶領域ＡＲ３に格納されたその他のＴＳパケット（第３のＴＳパケット）を読み出し、該ＴＳパケットからセクションを生成する。そして該セクションに含まれる各種テーブル情報を解析する。ホストＣＰＵ１１０は、その解析結果をメモリ２２０の所定の記憶領域に設定すると共にＴＳ分離部２１０に対し制御情報として指定する。それ以降、ＴＳ分離部２１０は、チューナ９４０からのＴＳを該制御情報に従ってＴＳパケットを抽出する。一方、ホストＣＰＵ１１０は、映像デコーダ２３０及び音声デコーダ２４０に対して、それぞれ別個に起動コマンドを発行することができる。映像デコーダ２３０及び音声デコーダ２４０は、それぞれ独立してメモリ２２０にアクセスしてホストＣＰＵ１１０の解析結果を読み出し、該解析結果に対応したデコード処理を行う。
【０１６９】
２．３．１  再生動作
次に、本実施形態における情報再生装置としての画像処理ＩＣ２００において、ＴＳに多重化された映像データ又は音声データを再生する場合の動作について説明する。
【０１７０】
図２０に、ホストＣＰＵ１１０による再生処理の動作例のフロー図を示す。ホストＣＰＵ１１０は、ＲＡＭ１２０又はＲＯＭ１３０に格納されたプログラムを読み出し、該プログラムに対応した処理を実行することで図２０に示す処理を行うことができるようになっている。
【０１７１】
まずホストＣＰＵ１１０は、放送受信開始処理を行う（ステップＳ１００）。これによって、ＴＳとして受信された複数の番組のうち所望の番組の映像データ又は音声データをＴＳから抽出することができる。そして、ホストＣＰＵ１１０は、画像処理ＩＣ２００の映像デコーダ２３０及び音声デコーダ２４０の少なくとも１つを起動させる。
【０１７２】
その後、ホストＣＰＵ１１０は、映像及び音声の再生を行う場合には映像デコーダ２３０及び音声デコーダ２４０によりデコード処理を行わせる。或いはホストＣＰＵ１１０は、映像のみの再生を行う場合には音声デコーダ２４０の動作を停止させて映像デコーダ２３０によりデコード処理を行わせる。或いはまた、ホストＣＰＵ１１０は、音声のみの再生を行う場合には映像デコーダ２３０の動作を停止させて音声デコーダ２４０によりデコード処理を行わせる（ステップＳ１０１）。
【０１７３】
次に、ホストＣＰＵ１１０は、放送受信終了処理を行い（ステップＳ１０２）、一連の処理を終了する（エンド）。これによって、ホストＣＰＵ１１０は、画像処理ＩＣ２００の各部の動作を停止させる。
【０１７４】
２．３．２  放送受信開始処理
続いて、図２０に示す放送受信開始処理の処理例について説明する。ここでは、映像及び音声の再生を行う場合について説明する。
【０１７５】
図２１に、図２０の放送受信開始処理の動作例のフロー図を示す。ホストＣＰＵ１１０は、ＲＡＭ１２０又はＲＯＭ１３０に格納されたプログラムを読み出し、該プログラムに対応した処理を実行することで図２１に示す処理を行うことができるようになっている。
【０１７６】
まずホストＣＰＵ１１０は、画像処理ＩＣ２００の映像デコーダ２３０、音声デコーダ２４０を起動する（ステップＳ１１０）。その後、ホストＣＰＵ１１０は、チューナ９４０を初期化すると共に所与の動作情報を設定する（ステップＳ１１１）。そしてホストＣＰＵ１１０は、ＤＡＣ１５０に対しても初期化を行って所与の動作情報を設定する（ステップＳ１１２）。
【０１７７】
その後ホストＣＰＵ１１０は、ＴＳの受信を監視する（ステップＳ１１３：Ｎ）。ＴＳの受信が開始されると、画像処理ＩＣ２００では、ＴＳ分離部２１０が、上述のようにＴＳから映像用ＴＳパケット、音声用ＴＳパケット及びそれ以外のＴＳパケットに分離し、分離されたＴＳパケットは、専用に設けられたメモリ２２０の記憶領域に格納される。例えば画像処理ＩＣ２００のメモリ２２０における第３の記憶領域ＡＲ３にＴＳパケットが格納されたことを条件に発生する割り込み信号により、ホストＣＰＵ１１０はＴＳの受信を検出できる。或いはホストＣＰＵ１１０が、周期的にメモリ２２０の第３の記憶領域ＡＲ３をアクセスすることで、ＴＳパケットの書き込みが行われた否かを判断して、ＴＳの受信を判別できる。
【０１７８】
このようにしてＴＳの受信が検出されたとき（ステップＳ１１３：Ｙ）、ホストＣＰＵ１１０は、第３の記憶領域ＡＲ３に記憶されたＴＳパケットを読み出してセクションを生成する。そして、セクションに含まれるＰＳＩ（Program Specific Information：番組特定情報）／ＳＩ（Service Information：番組配列情報）を解析する（ステップＳ１１４）。このＰＳＩ／ＳＩは、ＭＰＥＧ−２システム（ISO/IEC 13818-1）にて規定されている。
【０１７９】
ＰＳＩ／ＳＩは、ＮＩＴ（Network Information Table：ネットワーク情報テーブル）やＰＭＴ（Program Map Table：番組対応テーブル）を含む。ＮＩＴは、例えばどの放送局からのＴＳかを特定するためのネットワーク識別子、ＰＭＴを特定するためのサービス識別子、放送の種類を示すサービスタイプ識別子等を含む。ＰＭＴには、例えばＴＳにおいて多重化される映像用ＴＳパケットのＰＩＤと音声用ＴＳパケットのＰＩＤが設定される。
【０１８０】
従って、ホストＣＰＵ１１０は、ＰＳＩ／ＳＩからＰＭＴを特定するためのサービス識別子を抽出し、該サービス識別子に基づき、受信したＴＳの映像用ＴＳパケット及び音声用ＴＳパケットのＰＩＤを特定できる（ステップＳ１１５）。そして、携帯端末のユーザに選択させた番組に対応するＰＩＤ、若しくは予め決められた番組に対応するＰＩＤを、ホストＣＰＵ１１０が、映像デコーダ２３０及び音声デコーダ２４０に参照できるようにメモリ２２０の所定の記憶領域（例えば第３の記憶領域ＡＲ３）に設定し（ステップＳ１１６）、一連の処理を終了する（エンド）。
【０１８１】
こうすることで、映像デコーダ２３０及び音声デコーダ２４０は、メモリ２２０に設定されたＰＩＤを参照しながら、映像用ＴＳパケット及び音声用ＴＳパケットに対してデコード処理を行うことができる。
【０１８２】
なおホストＣＰＵ１１０は、例えばＰＭＴを特定するためのサービス識別子に対応する情報を、画像処理ＩＣ２００のＴＳ分離部２１０に設定する。こうすることで、ＴＳ分離部２１０は、所定の時間間隔を置いて周期的に受信されるセクションを判別し、上記のサービス識別子に対応したＰＭＴを解析し、該ＰＭＴにより特定される映像用ＴＳパケット及び音声用ＴＳパケットとそれ以外のＴＳパケットを抽出してメモリ２２０に格納していく。
【０１８３】
図２２に、図１８及び図１９の画像処理ＩＣ２００の放送受信開始処理における動作説明図を示す。図２２において、図１８又は図１９と同一部分には同一符号を付し、適宜説明を省略する。
【０１８４】
なお図２２において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１８５】
まずチューナ９４０からＴＳが入力される（ＳＱ１）とＴＳ分離部２１０は、ＰＳＩ／ＳＩが含まれるＴＳパケットをメモリ２２０に格納する（ＳＱ２）。なお、ＴＳ分離部２１０は、エラー検出処理を行い、その結果をエラー情報として付加してＴＳパケットをメモリ２２０に格納する。このとき、ＴＳ分離部２１０は、該ＴＳパケットのＰＳＩ／ＳＩ自体を抽出してメモリ２２０に格納することができる。更にＴＳ分離部２１０は、ＰＳＩ／ＳＩからＮＩＴを抽出してメモリ２２０に格納することができる。
【０１８６】
ホストＣＰＵ１１０は、ＰＳＩ／ＳＩ、ＮＩＴ、ＰＭＴを読み出して（ＳＱ３）、これらを解析し、デコード処理対象の番組に対応するＰＩＤを特定する。そしてホストＣＰＵ１１０は、サービス識別子に対応する情報又はデコード処理対象の番組に対応するＰＩＤを、ＴＳ分離部２１０に設定する（ＳＱ４）。なおホストＣＰＵ１１０は、ＰＩＤを、メモリ２２０の所定の記憶領域にも設定し、映像デコーダ２３０及び音声デコーダ２４０のデコード処理の際に参照させる。ここで、ホストＣＰＵ１１０は、図７又は図１１に示す処理を行って、エラー情報に基づいてＴＳパケットの廃棄を行うことができる。
【０１８７】
ＴＳ分離部２１０は、設定されたＰＩＤに基づいてＴＳから映像用ＴＳパケット及び音声用ＴＳパケットを抽出し、それぞれ第１及び第２の記憶領域ＡＲ１、ＡＲ２に書き込む（ＳＱ５）。
【０１８８】
その後、ホストＣＰＵ１１０によって起動された映像デコーダ２３０及び音声デコーダ２４０は、第１及び第２の記憶領域ＡＲ１、ＡＲ２から映像用ＴＳパケット及び音声用ＴＳパケットを順次読み出して（ＳＱ６）、映像デコード処理及び音声デコード処理を行う。
【０１８９】
このとき、次のシーケンスで、ホストＣＰＵ１１０、映像デコーダ２３０及び音声デコーダ２４０がコマンドデータを介した通信を行う。
【０１９０】
２．３．３  放送受信終了処理
次に、図２０に示す放送受信終了処理の動作例について説明する。ここでは、映像及び音声の再生を行う場合について説明する。
【０１９１】
図２３に、図２０の放送受信終了処理の処理例のフロー図を示す。ホストＣＰＵ１１０は、ＲＡＭ１２０又はＲＯＭ１３０に格納されたプログラムを読み出し、該プログラムに対応した処理を実行することで図２３に示す処理を行うことができるようになっている。
【０１９２】
まずホストＣＰＵ１１０は、画像処理ＩＣ２００の映像デコーダ２３０、音声デコーダ２４０を停止させる（ステップＳ１２０）。これは、ホストＣＰＵ１１０から画像処理ＩＣ２００に対しコマンドを発行し、画像処理ＩＣ２００が該制御コマンドのデコード結果を用いて映像デコーダ２３０、音声デコーダ２４０を停止させる。
【０１９３】
その後、ホストＣＰＵ１１０は、同様にＴＳ分離部２１０を停止させる（ステップＳ１２１）。そして、ホストＣＰＵ１１０は、チューナ９４０を停止させる（ステップＳ１２２）。
【０１９４】
図２４に、図１８及び図１９の画像処理ＩＣ２００の放送受信終了処理における動作説明図を示す。図２４において、図２２と同一部分には同一符号を付し、適宜説明を省略する。
【０１９５】
まずホストＣＰＵ１１０が、表示制御部２５０の動作を停止させる制御を行い、表示ドライバ１４０への映像データの供給を停止させる（ＳＱ１０）。次に、ホストＣＰＵ１１０が、映像デコーダ２３０及び音声デコーダ２４０の動作を停止させ（ＳＱ１１）、その後ＴＳ分離部２１０、チューナ９４０の順に動作を停止させていく（ＳＱ１２、ＳＱ１３）。
【０１９６】
２．３．４  再生処理
２．３．４．１  映像データの再生処理
次に、映像データの再生処理を行う映像デコーダ２３０の動作例について説明する。
【０１９７】
図２５に、映像デコード処理時に行われる映像デコーダ２３０のメモリのアクセス動作例のフロー図を示す。この処理は、例えば図８のステップＳ２３のデコード処理において行われる。
【０１９８】
まず、映像デコーダ２３０は、映像用ＴＳバッファとして設けられた第１の記憶領域ＡＲ１がエンプティ状態か否かを判別する（ステップＳ１４０）。第１の記憶領域ＡＲ１から読み出されるべき映像用ＴＳパケットがない場合、エンプティ状態となる。
【０１９９】
ステップＳ１４０において映像用ＴＳバッファである第１の記憶領域ＡＲ１がエンプティ状態でないと判別されたとき（ステップＳ１４０：Ｎ）、映像デコーダ２３０は、更に映像用ＥＳバッファとして設けられた第４の記憶領域ＡＲ４がフル状態か否かを判別する（ステップＳ１４１）。これ以上映像用ＥＳデータを第４の記憶領域ＡＲ４に格納できない場合、フル状態となる。
【０２００】
ステップＳ１４１において映像用ＥＳバッファである第４の記憶領域ＡＲ４がフル状態でないと判別されたとき（ステップＳ１４１：Ｎ）、映像デコーダ２３０は、第１の記憶領域ＡＲ１から映像用ＴＳパケットを読み出し、図２１のステップＳ１１６においてホストＣＰＵ１１０により特定されたＰＩＤ（指定ＰＩＤ）か否かを検出する（ステップＳ１４２）。
【０２０１】
ステップＳ１４２において、映像用ＴＳパケットのＰＩＤが指定ＰＩＤであると検出されたとき（ステップＳ１４２：Ｙ）、映像デコーダ２３０は、ＴＳヘッダ、ＰＥＳヘッダの解析を行い（ステップＳ１４３）、映像用ＥＳデータを映像用ＥＳバッファとして設けられた第４の記憶領域ＡＲ４に格納する（ステップＳ１４４）。
【０２０２】
その後、映像デコーダ２３０は、映像用ＴＳバッファである第１の記憶領域ＡＲ１の読み出しアドレスを特定するための読み出しポインタを更新し（ステップＳ１４５）、ステップＳ１４０に戻る（リターン）。
【０２０３】
なお、ステップＳ１４２において映像用ＴＳパケットのＰＩＤが指定ＰＩＤではないと検出されたとき（ステップＳ１４２：Ｎ）、ステップＳ１４５に進む。また、ステップＳ１４０において映像用ＴＳバッファである第１の記憶領域ＡＲ１がエンプティ状態であると判別されたとき（ステップＳ１４０：Ｙ）、又はステップＳ１４１において映像用ＥＳバッファである第４の記憶領域ＡＲ４がフル状態であると判別されたとき（ステップＳ１４１：Ｙ）、ステップＳ１４０に戻る（リターン）。
【０２０４】
こうして第４の記憶領域ＡＲ４に格納された映像用ＥＳデータは、映像デコーダ２３０により、Ｈ．２６４／ＡＶＣの規格に従ったデコード処理が行われて、映像データとして第７の記憶領域ＡＲ７に書き込まれる。
【０２０５】
図２６に、図１８及び図１９の画像処理ＩＣ２００の映像デコーダの動作説明図を示す。図２６において、図２２と同一部分には同一符号を付し、適宜説明を省略する。
【０２０６】
なお図２６において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０２０７】
まず図２１に示すようにホストＣＰＵ１１０によりデコード処理対象の番組に対応するＰＩＤがＴＳ分離部２１０に設定される（ＳＱ２０）。チューナ９４０からＴＳが入力されたとき（ＳＱ２１）、ＴＳ分離部２１０は、チューナ９４０からのＴＳから映像用ＴＳパケット、音声用ＴＳパケット及びそれ以外のＴＳパケットをそれぞれ分離する（ＳＱ２２）。ＴＳ分離部２１０によって分離された映像用ＴＳパケットは、ＴＳ分離部２１０で生成されたエラー情報と共に第１の記憶領域ＡＲ１に格納される。ＴＳ分離部２１０によって分離された音声用ＴＳパケットは、ＴＳ分離部２１０で生成されたエラー情報と共に第２の記憶領域ＡＲ２に格納される。ＴＳ分離部２１０によって分離された映像用ＴＳパケット及び音声用ＴＳパケット以外のＴＳパケットは、ＴＳ分離部２１０で生成されたエラー情報と共にＰＳＩ／ＳＩとして第３の記憶領域ＡＲ３に格納される。この際、ＴＳ分離部２１０は、ＰＳＩ／ＳＩの中のＮＩＴ、ＰＭＴを抽出して第３の記憶領域ＡＲ３に格納する。
【０２０８】
次にホストＣＰＵ１１０によって起動された映像デコーダ２３０は、第１の記憶領域ＡＲ１から映像用ＴＳパケットを読み出す（ＳＱ２３）。このとき、映像デコーダ２３０は、上述のエラー情報を参照して、映像デコード処理を行うか、映像用ＴＳパケットの廃棄を行うかを決定する。映像デコード処理を行うと決定したとき、映像デコーダ２３０は、映像用ＥＳデータを生成し、該映像用ＥＳデータを第４の記憶領域ＡＲ４に格納する（ＳＱ２４）。
【０２０９】
その後、映像デコーダ２３０は、第４の記憶領域ＡＲ４から映像用ＥＳデータを読み出して（ＳＱ２５）、Ｈ．２６４／ＡＶＣの規格に従ったデコード処理を行う。図２６では、デコード処理後の映像データが表示制御部２５０に直接供給されている（ＳＱ２６）が、例えばデコード処理後の映像データを、一旦、メモリ２２０の所定の記憶領域に書き戻し、その後、音声データの出力タイミングと同期を取りながら表示制御部２５０に供給することが望ましい。
【０２１０】
こうして表示制御部２５０に供給された映像データに基づいて、表示ドライバ１４０が表示パネルを駆動する（ＳＱ２７）。
【０２１１】
２．３．４．２  音声データの再生処理
続いて、音声データの再生処理を行う音声デコーダ２４０の動作例について説明する。
【０２１２】
図２７に、音声デコード処理時に行われる音声デコーダ２４０のメモリのアクセス動作例のフロー図を示す。この処理は、例えば図８のステップＳ２３のデコード処理において行われる。
【０２１３】
まず、音声デコーダ２４０は、ホストＣＰＵ１１０によって起動されると、例えばメモリ２２０の所定の記憶領域に格納されたプログラムを読み出し、該プログラムに対応した処理を実行することで図２７に示す処理を行うことができるようになっている。即ち、音声デコーダ２４０はＣＰＵ（中央演算処理装置）を含み、画像処理ＩＣ２００（情報再生装置）の初期化処理後に、画像処理ＩＣ２００の外部から、ＣＰＵに音声デコード処理を実現するためのプログラムが読み込まれ、該ＣＰＵが音声デコード処理を実現することができる。
【０２１４】
まず、音声デコーダ２４０は、音声用ＴＳバッファとして設けられた第２の記憶領域ＡＲ２がエンプティ状態か否かを判別する（ステップＳ１５０）。第２の記憶領域ＡＲ２から読み出されるべき音声用ＴＳパケットがない場合、エンプティ状態となる。
【０２１５】
ステップＳ１５０において音声用ＴＳバッファである第２の記憶領域ＡＲ２がエンプティ状態でないと判別されたとき（ステップＳ１５０：Ｎ）、音声デコーダ２４０は、更に音声用ＥＳバッファとして設けられた第５の記憶領域ＡＲ５がフル状態か否かを判別する（ステップＳ１５１）。これ以上音声用ＥＳデータを第５の記憶領域ＡＲ５に格納できない場合、フル状態となる。
【０２１６】
ステップＳ１５１において音声用ＥＳバッファである第５の記憶領域ＡＲ５がフル状態でないと判別されたとき（ステップＳ１５１：Ｎ）、音声デコーダ２４０は、第２の記憶領域ＡＲ２から音声用ＴＳパケットを読み出し、図２１のステップＳ１１６においてホストＣＰＵ１１０により特定されたＰＩＤ（指定ＰＩＤ）か否かを検出する（ステップＳ１５２）。
【０２１７】
ステップＳ１５２において、音声用ＴＳパケットのＰＩＤが指定ＰＩＤであると検出されたとき（ステップＳ１５２：Ｙ）、音声デコーダ２４０は、ＴＳヘッダ、ＰＥＳヘッダの解析を行い（ステップＳ１５３）、音声用ＥＳデータを音声用ＥＳバッファとして設けられた第５の記憶領域ＡＲ５に格納する（ステップＳ１５４）。
【０２１８】
その後、音声デコーダ２４０は、音声用ＴＳバッファである第２の記憶領域ＡＲ２の読み出しアドレスを特定するための読み出しポインタを更新し（ステップＳ１５５）、ステップＳ１５０に戻る（リターン）。
【０２１９】
なお、ステップＳ１５２において、音声用ＴＳパケットのＰＩＤが指定ＰＩＤではないと検出されたとき（ステップＳ１５２：Ｎ）、ステップＳ１５５に進む。また、ステップＳ１５０において音声用ＴＳバッファである第２の記憶領域ＡＲ２がエンプティ状態であると判別されたとき（ステップＳ１５０：Ｙ）、又はステップＳ１５１において音声用ＥＳバッファである第５の記憶領域ＡＲ５がフル状態であると判別されたとき（ステップＳ１５１：Ｙ）、ステップＳ１５０に戻る（リターン）。
【０２２０】
こうして第５の記憶領域ＡＲ５に格納された音声用ＥＳデータは、音声デコーダ２４０により、ＭＰＥＧ−２ＡＡＣの規格に従ったデコード処理が行われて、音声データとして第８の記憶領域ＡＲ８に書き込まれる。
【０２２１】
図２８に、図１８及び図１９の画像処理ＩＣ２００の音声デコーダの動作説明図を示す。図２８において、図２２と同一部分には同一符号を付し、適宜説明を省略する。
【０２２２】
なお図２８において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０２２３】
まず図２１に示すようにホストＣＰＵ１１０によりデコード処理対象の番組に対応するＰＩＤがＴＳ分離部２１０に設定される（ＳＱ３０）。チューナ９４０からＴＳが入力されたとき（ＳＱ３１）、ＴＳ分離部２１０は、チューナ９４０からのＴＳから映像用ＴＳパケット、音声用ＴＳパケット及びそれ以外のＴＳパケットをそれぞれ分離する（ＳＱ３２）。ＴＳ分離部２１０によって分離された映像用ＴＳパケットは、ＴＳ分離部２１０で生成されたエラー情報と共に第１の記憶領域ＡＲ１に格納される。ＴＳ分離部２１０によって分離された音声用ＴＳパケットは、ＴＳ分離部２１０で生成されたエラー情報と共に第２の記憶領域ＡＲ２に格納される。ＴＳ分離部２１０によって分離された映像用ＴＳパケット及び音声用ＴＳパケット以外のＴＳパケットは、ＴＳ分離部２１０で生成されたエラー情報と共にＰＳＩ／ＳＩとして第３の記憶領域ＡＲ３に格納される。更にＴＳ分離部２１０は、ＰＳＩ／ＳＩの中のＮＩＴ、ＰＭＴを抽出して第３の記憶領域ＡＲ３の所定の記憶領域に書き込むことができる。
【０２２４】
次にホストＣＰＵ１１０によって起動された音声デコーダ２４０は、第２の記憶領域ＡＲ２から音声用ＴＳパケットを読み出す（ＳＱ３３）。このとき、音声デコーダ２４０は、上述のエラー情報を参照して、音声デコード処理を行うか、音声用ＴＳパケットの廃棄を行うかを決定する。音声デコード処理を行うと決定したとき、音声デコーダ２４０は、音声用ＥＳデータを生成し、該音声用ＥＳデータを第５の記憶領域ＡＲ５に格納する（ＳＱ３４）。
【０２２５】
その後、音声デコーダ２４０は、第５の記憶領域ＡＲ５から音声用ＥＳデータを読み出して（ＳＱ３５）、ＭＰＥＧ−２ＡＡＣの規格に従ったデコード処理を行う。図２８では、デコード処理後の音声データがＤＡＣ１５０に直接供給されている（ＳＱ３６）が、例えばデコード処理後の音声データを、一旦、メモリ２２０の所定の記憶領域に書き戻し、その後、映像データの出力タイミングと同期を取りながらＤＡＣ１５０に供給することが望ましい。
【０２２６】
以上のような音声デコーダ２４０の動作は、映像デコーダ２３０の動作とは独立して行われる。
【０２２７】
なお、本発明は上述した実施の形態に限定されるものではなく、本発明の要旨の範囲内で種々の変形実施が可能である。なお上記の実施形態又はその変形例では、地上デジタル放送に適用可能な例について説明したが、本発明は地上デジタル放送に適用可能なものに限定されるものではない。
【０２２８】
なお、本実施形態では、主にＨ．２６４／ＡＶＣに準拠したデコード処理に適用した場合について説明したが、これに限定されるものではなく、他の規格や、Ｈ．２６４／ＡＶＣ規格を発展させた規格に準拠したデコード処理に適用できることは言うまでもない。
【０２２９】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０２３０】
【図１】本実施形態におけるデコード装置の構成例のブロック図。
【図２】本実施形態においてＴＳパケットに付加されるエラー情報の説明図。
【図３】図２のエラー情報の詳細な説明図。
【図４】図３のエラーステータスの内容の一例の説明図。
【図５】本実施形態におけるエラー情報及びＴＳパケットのバッファの格納状況の説明図。
【図６】本実施形態におけるエラー情報の付加のタイミングの一例を示す図。
【図７】本実施形態におけるホストのエラー処理の一例のフロー図。
【図８】本実施形態におけるデコーダのエラー処理の一例のフロー図。
【図９】本実施形態において適用可能なパケットの種類を示す図。
【図１０】本実施形態におけるエラーステータスの他の例を示す図。
【図１１】本実施形態の変形例におけるホストのエラー処理の一例のフロー図。
【図１２】本実施形態の他の変形例におけるエラーステータスの例を示す。
【図１３】地上デジタル放送のセグメントの概念の説明図。
【図１４】ＴＳの説明図。
【図１５】ＰＥＳパケット及びセクションの説明図。
【図１６】本実施形態の比較例におけるマルチメディア処理ＣＰＵを含む携帯電話機の構成例のブロック図。
【図１７】本実施形態における情報再生装置を含む携帯電話機の構成例のブロック。
【図１８】図１７の画像処理ＩＣの構成例のブロック図。
【図１９】図１８の画像処理ＩＣの動作説明図。
【図２０】ホストＣＰＵによる再生処理の動作例のフロー図。
【図２１】図２０の放送受信開始処理の動作例のフロー図。
【図２２】図１８及び図１９の画像処理ＩＣの放送受信開始処理における動作説明図。
【図２３】図２０の放送受信終了処理の処理例のフロー図。
【図２４】図１８及び図１９の画像処理ＩＣの放送受信終了処理における動作説明図。
【図２５】映像デコーダのメモリのアクセス動作例のフロー図。
【図２６】図１８及び図１９の画像処理ＩＣの映像デコーダの動作説明図。
【図２７】音声デコーダのメモリのアクセス動作例のフロー図。
【図２８】図１８及び図１９の画像処理ＩＣの音声デコーダの動作説明図。
【符号の説明】
【０２３１】
１０  デコード装置、  ２０  分離処理部、  ２２  エラー処理部、
２４  パケット分離部、  ３０  デコーダ、  ４０  バッファ、
５０  デジタルチューナ、  ６０  ホスト、  １００  携帯電話機、
１１０  ホストＣＰＵ、  １２０  ＲＡＭ、  １３０  ＲＯＭ、
１４０  表示ドライバ、  １５０  ＤＡＣ、  ２００  画像処理ＩＣ、
２１０  ＴＳ分離部、  ２３０  映像デコーダ、  ２４０  音声デコーダ、
２５０  表示制御部、  ２６０  チューナＩ／Ｆ、  ２７０  ホストＩ／Ｆ、
２８０  ドライバＩ／Ｆ、  ２９０  オーディオＩ／Ｆ、  ９１０、９３０  アンテナ、
９４０  チューナ、  ９６０  表示パネル、  ９７０  スピーカ
【図１】
2007282001.tif 000003
【図２】
2007282001.tif 000004
【図３】
2007282001.tif 000005
【図４】
2007282001.tif 000006
【図５】
2007282001.tif 000007
【図６】
2007282001.tif 000008
【図７】
2007282001.tif 000009
【図８】
2007282001.tif 000010
【図９】
2007282001.tif 000011
【図１０】
2007282001.tif 000012
【図１１】
2007282001.tif 000013
【図１２】
2007282001.tif 000014
【図１３】
2007282001.tif 000015
【図１４】
2007282001.tif 000016
【図１５】
2007282001.tif 000017
【図１６】
2007282001.tif 000018
【図１７】
2007282001.tif 000019
【図１８】
2007282001.tif 000020
【図１９】
2007282001.tif 000021
【図２０】
2007282001.tif 000022
【図２１】
2007282001.tif 000023
【図２２】
2007282001.tif 000024
【図２３】
2007282001.tif 000025
【図２４】
2007282001.tif 000026
【図２５】
2007282001.tif 000027
【図２６】
2007282001.tif 000028
【図２７】
2007282001.tif 000029
【図２８】
2007282001.tif 000030